(57)【特許請求の範囲】
【請求項１】
回転駆動可能に支持された横長のキルン胴内に長手方向一端の入口より供給された廃棄物を、該キルン胴内で加熱乾燥させてから長手方向他端の出口の下部領域を閉塞するように設けた堰をオーバーフローさせて上記出口から排出させるようにする廃棄物乾燥機の廃棄物排出方法において、上記出口の下部領域を閉塞するように設けた堰を適時下方へ開いて堰の内側部分に滞留している廃棄物を上記出口から排出させるようにすることを特徴とする廃棄物乾燥機の廃棄物排出方法。
【請求項２】
堰を廃棄物の処理量に応じて定められた所定時間ごとに自動的に開閉させて廃棄物を排出させるようにする請求項１記載の廃棄物乾燥機の廃棄物排出方法。
【請求項３】
回転駆動可能に支持された横長のキルン胴内に長手方向一端の入口より供給された廃棄物を、該キルン胴内で加熱乾燥させてから長手方向他端の出口に設けた堰をオーバーフローさせて上記出口から排出させるようにしてある廃棄物乾燥機の廃棄物排出装置において、上記出口に設けた堰を、該出口の下部領域を塞ぐ位置と出口の下部領域を開く位置との間で変位して開閉するようにして、アクチュエータの駆動で上下方向へガイドレールに沿い開閉する可動の堰とした構成を有することを特徴とする廃棄物乾燥機の廃棄物排出装置。
【請求項４】
廃棄物の処理量に応じて堰を開放する間隔を予め設定しておくようにするタイマーを設けて、該タイマーからの駆動指令をアクチュエータに送るようにし、該タイマーの設定に基づきアクチュエータを駆動して堰を開閉させるようにした請求項３記載の廃棄物乾燥機の廃棄物排出装置。
【発明の詳細な説明】
【０００１】
【発明の属する技術分野】
本発明は都市ごみ等の廃棄物を熱分解処理する際の前処理に用いられる廃棄物乾燥機の廃棄物排出方法及び装置に関するものである。
【０００２】
【従来の技術】
近年、都市ごみ等の廃棄物を、熱分解炉内において空気を遮断した状態で熱分解し、熱分解により生じた炭化物（チャー）を溶融スラグ化し、熱分解ガスをシステム内で熱分解用加熱源として有効にエネルギー使用するようにしたガス化溶融プロセスが提案され、一部で実証運転が行われている。
【０００３】
上記ガス化溶融プロセスの熱分解炉には、一定の水分に調整された廃棄物を供給することが必要であり、そのため、熱分解の前処理として廃棄物を加熱乾燥させるようにしている。
【０００４】
上記廃棄物を加熱乾燥させる乾燥機としては、図２（イ）（ロ）にその一例の概略を示す如きロータリーキルン型とした廃棄物乾燥機Ｉがある。すなわち、この廃棄物乾燥機Ｉは、横長としたキルン胴１を、長手方向一端の入口２側よりも長手方向他端の出口３側が低くなるように傾斜させた配置または、水平配置として回転駆動可能に支持させ、上記入口２に、廃棄物４を供給するための給じん機５を設けると共に、上記出口３を取り囲む位置に、乾燥後の廃棄物４と乾燥排ガス４ａとを分離して取り出す分離室６を設け、キルン胴１を低速で回転させた状態において、廃棄物４を給じん機５によってキルン胴１内に徐々に供給しつつ、キルン胴１内の上部位置に分離室６を通して導入した熱風吹付管７から廃棄物４へ向け熱風を吹き付けることにより、廃棄物４を加熱乾燥させるようにしてある。又、廃棄物４のキルン胴１内での滞留時間や層圧を調整するために、キルン胴１の出口３の下側位置に堰８を固定状態に設けて、乾燥した後の廃棄物４を、該堰８をオーバーフローさせることにより出口３から排出させるようにしている。なお、９は分離室６の下部に設けた乾燥廃棄物取出口、１０は分離室６の上部に設けた乾燥排ガス出口を示す。
【０００５】
【発明が解決しようとする課題】
ところが、上記のように、キルン胴１の出口３に堰８が固定して設けてある場合、供給された廃棄物４中に、たとえば、細長いビニールや布、あるいはカセットテープ等の紐状物が混入していて、該紐状物が堰８を乗り越えずに堰８の内側部分で滞留してしまうと、その周囲にある廃棄物４がキルン胴１の回転運動で紐状物に巻き込まれて団子状の塊になり、この塊が成長して行くと堰８の高さよりも大きくなり、更には、熱風吹込管７と堰８との間に入り込むようになって他の廃棄物４も排出されなくなる閉塞状態に陥ってしまうことがある。したがって、このような状態になると、運転を停止して詰まりを解消させなければならなかった。
【０００６】
そこで、本発明は、堰の部分で廃棄物が団子状の塊に大きく成長する前に排出させることができるようにしようとするものである。
【０００７】
【課題を解決するための手段】
本発明は、上記課題を解決するために、回転駆動可能に支持された横長のキルン胴内に長手方向一端の入口より供給された廃棄物を、該キルン胴内で加熱乾燥させてから長手方向他端の出口の下部領域を閉塞するように設けた堰をオーバーフローさせて上記出口から排出させるようにしてある廃棄物乾燥機の廃棄物排出方法及び装置において、上記出口の下部領域を閉塞するように設けた堰を、アクチュエータの駆動で上下方向へガイドレールに沿い開閉変位する可動の堰とした構成として、上記堰を適時下方へ開いて堰の内側部分に滞留している廃棄物を上記出口から排出させるようにする。
【０００８】
廃棄物に紐状物が含まれていても、堰の内側部分で滞留することにより大きな塊に成長する前に、廃棄物を排出することができるようになるため、連続運転が可能となる。
【０００９】
又、廃棄物の処理量に応じて堰を開放する間隔を予め設定しておくようにするタイマーを設けて、該タイマーからの駆動指令をアクチュエータに送るようにし、該タイマーの設定に基づきアクチュエータを駆動して堰を開閉させるように構成して、堰を廃棄物の処理量に応じて定められた所定時間ごとに自動的に開閉させるようにすることにより、堰の内側部分に滞留する廃棄物を定期的に排出させることができるようになり、信頼性の高い安定した連続運転が可能となる。
【００１０】
【発明の実施の形態】
以下、本発明の実施の形態を図面を参照して説明する。
【００１１】
図１（イ）（ロ）（ハ）は本発明の実施の一形態を示すもので、図２（イ）（ロ）に示したものと同様に、回転駆動可能に支持された横長のキルン胴１内に長手方向一端の入口より供給された廃棄物４を、キルン胴１内で乾燥させてから長手方向他端に設置された堰８をオーバーフローさせて上記出口３から排出させるようにしてある構成を有する廃棄物乾燥機Ｉにおいて、廃棄物排出装置として、上記堰８を、アクチュエータの駆動で開閉する可動堰として、定期的に開放させることができるようにした構成とする。
【００１２】
詳述すると、堰８は、キルン胴１の回転に伴う廃棄物４の安息角に対応させて、出口３の下部領域に上辺が傾斜するように左右方向に配置するものであるが、この出口３の下部領域を塞ぐ位置と、出口３の下部領域を開く位置との間で変位して開閉できるように、左右方向の一端部となる傾斜方向の上端部を、分離室６の左右方向の一方の側壁部６ａの内側面に固設したブラケット１１に、ピン１２により上下方向へ回動可能に取り付ける。
【００１３】
又、上記分離室６の左右方向の他方の側壁部６ｂの外側面に、アクチュエータとしてのモートルシリンダ１３を、支持架台１４を介して左右方向へ回動可能に取り付け、且つ該モートルシリンダ１３の作動ロッド１３ａを、側壁部６ｂを通しキルン胴１の出口３の下部側に導き、該作動ロッド１３ａの先端部を、上記堰８の左右方向の他端となる先端側に張り出させたブラケット１４ａに、ピンロッド１５により連結して、モートルシリンダ１３の駆動により作動ロッド１３ａを伸縮作動させることにより、上記堰８をピン１２を支点として上下方向へ回動させて開閉させるようにする。更に、上記堰８の先端側の回動軌跡に対応するように円弧状に形成したアングル材からなるガイドレール１６を、分離室６の前壁部６ｃの下部内側面に取り付けると共に、該ガイドレール１６に、上記ピンロッド１５の先端に取り付けたガイド片１７と堰８の上記ブラケット１４ａとを前後から係合させ、堰８の開閉がガイドレール１６に沿って安定して行われるようにする。
【００１４】
更に、上記モートルシリンダ１３の駆動部に、モートルシリンダ１３に駆動指令を送るタイマー１８を接続し、該タイマー１８の設定に基づきモートルシリンダ１３を駆動して堰８を開閉させるようにする。
【００１５】
廃棄物４の処理量が、たとえば、１．０ｔ／ｈであるような場合は、堰８を開放する間隔が１時間、堰８を開放している時間が、たとえば、１０分間となるように、処理量、つまり堰８を通過する廃棄物４の量に応じて堰８を開放する間隔を設定するよう予めタイマー１８を設定しておくようにする。
【００１６】
上記の状態で廃棄物乾燥機Ｉを運転していて、タイマー１８に設定されている廃棄物４の処理量に応じた堰開放の時間になると、タイマー１８からの指令でモートルシリンダ１３が駆動され、該モートルシリンダ１３の作動ロッド１３ａが伸長作動させられることにより、堰８はピン１２を支点として図１（ロ）の実線で示す閉鎖位置から二点鎖線で示す開放位置へと回動変位させられ、その開放状態が一定時間維持され、しかる後、タイマー１８からの指令でモートルシリンダ１３の作動ロッド１３ａが短縮作動させられることにより、堰８は閉鎖位置へと戻される。更に、一定時間が経過すると、堰８は再び一定時間だけ開放された後、閉鎖位置へと戻され、以後も同様な工程を繰り返すことになる。
【００１７】
上記のように、タイマー１８の指令に基づいて堰８が定期的に開放されるため、このとき、廃棄物４を出口３から直接排出させることができ、これにより、堰８の内側部分に紐状物が滞留していたとしても、それが団子状の大きな塊に成長する前に、容易に排出させることができる。したがって、堰８の部分に廃棄物４を詰まらせて出口３を閉塞してしまうような事態の発生を未然に防ぐことができ、紐状物を含む廃棄物４を対象としても連続運転を安定して行うことができ、信頼性の高いものとすることができる。
【００１８】
上記において、堰８の回動時、堰８の先端部のピンロッド１５に取り付けてあるガイド片１７がガイドレール１６に係合している状態で摺動するので、堰８は安定して回動することができ、又、上記のようにガイド片１７がガイドレール１６に係合しているため、閉鎖位置において廃棄物４の荷重を安定して受けることができる。
【００１９】
上記モートルシリンダ１３に駆動指令を与えるタイマー１８は、堰８を開放する間隔時間や開放時間を任意にセットできるものであるが、タイマー１８を用いることなく、モートルシリンダ１３を適時駆動して堰８を開閉させるようにすることは任意である。
【００２０】
なお、上記実施の形態では、堰８を開閉するためのアクチュエータとしてモートルシリンダ１３を用いた場合を示したが、これに代えて、流体圧シリンダ等を用いるようにしてもよいこと、又、堰８の開閉は昇降式や転倒式等としてもよいこと、更に、堰８の開閉動作を遠隔で手動で行うようにしてもよく、このようにしておけば、運転停止時に堰８を開くことでキルン胴１内の廃棄物４を完全に排出することができ、これにより、廃棄物４が残ることによる腐食の問題をも解消することができるようになること、その他本発明の要旨を逸脱しない範囲内において種々変更を加え得ることは勿論である。
【００２１】
【発明の効果】
以上述べた如く、本発明の廃棄物乾燥機の廃棄物排出方法及び装置によれば、次の如き優れた効果を発揮する。
(1)回転駆動可能に支持された横長のキルン胴内に長手方向一端の入口より供給された廃棄物を、該キルン胴内で加熱乾燥させてから長手方向他端の出口の下部領域を閉塞するように設けた堰をオーバーフローさせて上記出口から排出させるようにしてある廃棄物乾燥機の廃棄物排出方法及び装置において、上記出口の下部領域を閉塞するように設けた堰を、アクチュエータの駆動で上下方向へガイドレールに沿い開閉する可動の堰とした構成として、上記堰を適時下方へ開いて堰の内側部分に滞留している廃棄物を上記出口から排出させるようにするので、堰の内側部分に滞留している廃棄物を出口から直接排出させることができ、これにより、紐状物が含まれている廃棄物であっても、大きな塊に成長する前に排出させることができて、キルン胴の出口の閉塞を未然に防ぐことができ、連続運転を行うことができる。
(2)廃棄物の処理量に応じて堰を開放する間隔を予め設定しておくようにするタイマーを設けて、該タイマーからの駆動指令をアクチュエータに送るようにし、該タイマーの設定に基づきアクチュエータを駆動して堰を開閉させるように構成して、堰を廃棄物の処理量に応じて定められた所定時間ごとに開閉させるようにすることにより、堰の内側部分に滞留する廃棄物を定期的に排出させることができるので、堰の部分での廃棄物の詰まりを確実に防止することができ、信頼性の高い安定した連続運転が可能となる。
【図面の簡単な説明】
【図１】本発明の廃棄物乾燥機の廃棄物排出装置の実施の一形態を示すもので、（イ）は切断側面図、（ロ）は（イ）のＡ−Ａ方向矢視図、（ハ）は（イ）のＢ部拡大図である。
【図２】ロータリーキルン型の乾燥機の一例を示すもので、（イ）は概略側面図、（ロ）は（イ）のＣ−Ｃ方向矢視図である。
【符号の説明】
Ｉ  廃棄物乾燥機
１  キルン胴
２  入口
３  出口
４  廃棄物
８  堰
１３  モートルシリンダ（アクチュエータ）
１８  タイマー
【図１】
0003885629.tif 000002
【図２】
0003885629.tif 000003